(57)【要約】【課題】ロックの解除方法を多様且つ複雑にして、いたずらを防止するチャイルドロックを備えること。【解決手段】燃焼を制御する燃焼制御回路であるマイコン２と、点火消火スイッチ７と、点火消火スイッチ７による燃焼の指示を禁止するチャイルドロックスイッチ５を備えた調理器において、ロックの設定は、所定時間チャイルドロックスイッチ５を押しつづけることでロックがかかり、押しつづけた所定の時間と同じだけ再度チャイルドロックスイッチ５を押しつづけることで解除する構成とし、押しつづける所定の時間は任意の時間に設定可能とすることにより、子供が記憶して解除することを防止出来る。【選択図】図１
2005121287.tif 000002
【特許請求の範囲】
【請求項１】
燃焼を制御する燃焼制御回路と、前記燃焼制御回路へ燃焼の指示を入力する点火消火スイッチと、所定時間押し続けることにより前記点火消火スイッチによる燃焼の指示を禁止するチャイルドロックスイッチを備え、前記チャイルドロックスイッチを押し続ける所定時間は任意の時間に設定可能としたことを特徴とする調理機器。
【請求項２】
燃焼を制御する燃焼制御回路と、前記燃焼制御回路へ燃焼の指示を入力する点火消火スイッチと、前記点火消火スイッチならびに燃焼状態を操作する複数のスイッチを設けた操作部と、前記操作部に設けた任意のスイッチを前記点火消火スイッチによる燃焼の指示を禁止するチャイルドロックスイッチに設定することが可能とした調理機器。
【請求項３】
燃焼を制御する燃焼制御回路と、前記燃焼制御回路へ燃焼の指示を入力する点火消火スイッチと、前記点火消火スイッチによる燃焼の指示を禁止するチャイルドロックスイッチを備え、前記チャイルドロックスイッチによるチャイルドロック状態は所定時間経過後、解除する請求項１または２記載の調理機器。
【請求項４】
燃焼制御回路の電源を遮断する電源遮断手段と、前記電源遮断手段による電源遮断の状態が所定時間以上になるとチャイルドロック状態を解除する請求項１から３のいずれか１項記載の調理機器。
【請求項５】
点火消火スイッチによる消火後にチャイルドロックスイッチをオンする状態が所定回数行われると、以後は点火消火スイッチによる消火後にチャイルドロックスイッチをオンしなくてもチャイルドロック状態にする請求項１から４のいずれか１項記載の調理機器。
【発明の詳細な説明】
【技術分野】
【０００１】
本発明は点火、消火の操作に関して誤操作やいたずらを防止する手段を講じた調理機器に関するものである。
【背景技術】
【０００２】
従来、この種の調理機器はチャイルドロックと言う機能を備えている。これは特定のスイッチを操作することで加熱機能を禁止する構成としている（例えば、特許文献１参照）。
【０００３】
図８は、特許文献１に記載された従来の調理機器を示すものである。図８に示すように、コントローラ１２と、ロックスイッチ１０と、マグネトロン駆動回路１３と、マグネトロン６から構成されている。
【特許文献１】特開平７−６３３４６号公報
【発明の開示】
【発明が解決しようとする課題】
【０００４】
しかしながら、前記従来の構成では、ロックスイッチ１０を５回連続で押すことでロック状態、即ちロックスイッチ以外の加熱スタートスイッチ等を受け付けなくする状態、またその解除を切り替える構成なので、子供がその操作を覚えるとその機能を成さなくなるという課題を有していた。また、実施例にあるように複数の特定のスイッチの同時押しや特定の順序で押すことによりロック状態にする場合においても、操作性との兼ね合いからあまり複雑な順序や、多くのスイッチの同時押しを要求することは出来ず、また複雑な順序にしても、その順序が常に同じであれば、その順序を記憶する事は子供にも容易であるという課題を有していた。
【０００５】
本発明は、前記従来の課題を解決するもので、ロック状態への設定を子供に覚えられないようにしていたずらを防止し、設定、解除の手間のかからない使い勝手のよい調理機器を提供することを目的とする。
【課題を解決するための手段】
【０００６】
前記従来の課題を解決するために、本発明の調理機器は、燃焼を制御する燃焼制御回路と、その燃焼制御回路へ燃焼の指示を入力する点火消火スイッチと、所定時間押し続けることにより前記点火消火スイッチによる燃焼の指示を禁止し、再度同様に所定時間押しつづけることでロックを解除するチャイルドロックスイッチを備え、そのチャイルドロックスイッチを押しつづける所定の時間は任意の時間に設定可能としたものである。
【０００７】
これによって、チャイルドロックスイッチを押しつづける時間を任意に設定できるので、都度変更して、子供が解除の方法を記憶して解除してしまうことが防止出来る。
【発明の効果】
【０００８】
本発明の調理機器は、ロック状態の解除を容易に出来なくして、いたずら等による不安全な状態を防止出来る。
【発明を実施するための最良の形態】
【０００９】
第１の発明は、燃焼を制御する燃焼制御回路と、前記燃焼制御回路へ燃焼の指示を入力する点火消火スイッチと、所定時間押し続けることにより前記点火消火スイッチによる燃焼の指示を禁止するチャイルドロックスイッチを備え、前記チャイルドロックスイッチを押し続ける所定時間は任意の時間に設定可能としたことを特徴とする調理機器。
【００１０】
よって、ロック状態への設定、解除するためのスイッチの入力受付時間が制約され、またその時間も変更できることから容易にロック状態が解除出来ず、誤操作が防止できる。
【００１１】
第２の発明は、燃焼を制御する燃焼制御回路と、前記燃焼制御回路へ燃焼の指示を入力する点火消火スイッチと、前記点火消火スイッチならびに燃焼状態を操作する複数のスイッチを設けた操作部と、前記操作部に設けた任意のスイッチを前記点火消火スイッチによる燃焼の指示を禁止するチャイルドロックスイッチに設定することが可能とした。
【００１２】
よって、常に特定のスイッチをチャイルドロックスイッチにすることなく、従って、子供などがチャイルドロックスイッチを覚えることが出来ず、いたずらが防止できる。
【００１３】
第３の発明は、燃焼を制御する燃焼制御回路と、前記燃焼制御回路へ燃焼の指示を入力する点火消火スイッチと、前記点火消火スイッチによる燃焼の指示を禁止するチャイルドロックスイッチを備え、前記チャイルドロックスイッチによるチャイルドロック状態は所定時間経過後、解除するようにした。
【００１４】
よって、ロック状態は時間経過により自動的に解除されるので、長時間使用しなかったためロックの解除方法を忘れて機器が使用出来ない事態が回避できる。
【００１５】
第４の発明は、燃焼制御回路の電源を遮断する電源遮断手段と、前記電源遮断手段による電源遮断の状態が所定時間以上になるとチャイルドロック状態を解除するようにした。
【００１６】
よって、電源をオフすることでロック状態が解除できるので解除方法を忘れたときには電源をオフすることで機器が使用できる。
【００１７】
第５の発明は、点火消火スイッチによる消火後にチャイルドロックスイッチをオンする状態が所定回数行われると、以後は点火消火スイッチによる消火後にチャイルドロックスイッチをオンしなくてもチャイルドロック状態にするようにした。
【００１８】
よって、常に使用後にロックする場合は自動的にその状態になり、設定の手間が省け、使い勝手がよくなる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における調理機器の回路構成で、図２は、同実施の形態１における調理機器の外観図を示す図である。
【００２１】
図１、図２において、調理機器の燃焼を制御する燃焼制御回路１を示しており、乾電池１ａは乾電池ケース１ｂ内に収納されており、燃焼を制御するマイコン２に電源を供給している。スイッチ５はチャイルドロックスイッチ、スイッチ６は左側のコンロの点火、消火を指示し、スイッチ７、８は火力調節を行う。各スイッチ５〜８は調理機器の操作部９に設けられており、マイコン２に接続され、オン、オフの状態がマイコン２に入力される。電磁弁３、点火器４はマイコン２からの出力により制御され、点火、燃焼時にガスの開弁や点火を行う。以下、左コンロで調理する場合について説明する。ここでいうチャイルドロックは、点火消火スイッチ６による、燃焼開始の指示を禁止するロック状態を示す。ここで、チャイルドロックをかけようとすると、燃焼していない状態でチャイルドロックスイッチ５を所定時間、例えば３秒間押しつづけると、点火消火スイッチ６による燃焼開始が禁止され、子供のいたずら防止ができる構成である。
【００２２】
以上のように構成された調理機器について、以下その動作、作用について、動作フローを示すフローチャート図である図３を用いて説明する。
【００２３】
まず、Ｓ１ステップでは機器がロック状態か判断する。これはマイコン２のメモリに記憶された状態により判断し、ロック状態でなければＳ２ステップへ進み、チャイルドロックスイッチ５が押されているか判断する。チャイルドロックスイッチ５が押されていなければＳ３ステップへ進み、点火消火スイッチ６の入力を判断して、押されていればＳ４ステップで電磁弁３を開弁、点火器４を放電させて点火、燃焼を行う。Ｓ３ステップで点火消火スイッチ６の入力がなければ全ての処理を終了して、次の入力を待つ。
【００２４】
ここでＳ２ステップにおいてチャイルドロックスイッチ５の入力がある場合はＳ６ステップで、そのスイッチが押され続けている時間（例えば３秒間）を測定して、その時間をメモリＭ１に記憶する。次にＳ７ステップでロック状態に設定する。
【００２５】
Ｓ１ステップにおいてロック状態にある場合はＳ８ステップでチャイルドロックスイッチ入力があるか判断し、ない場合は次の入力を待つ。スイッチ入力がある場合はＳ９ステップで、押されている時間を測定してメモリＭ２に記憶する。次にＳ１０ステップでメモリＭ１とＭ２に記憶された時間（例えば３秒間）との差を比較して０．５秒以内であればＳ８ステップで入力されたスイッチを有効としてＳ１１ステップへ進むみ、ロック状態を解除する。本実施例ではチャイルドロックスイッチを押し続ける所定の入力時間を設定時と解除時の時間差を０．５秒以内と設定したが、この時間差を大きくするとスイッチの入力許容範囲が広くなり、小さくすると許容範囲が狭くなる。
【００２６】
以上のように、本実施の形態においてはチャイルドロックスイッチ５の設定時の入力時間と解除時の入力時間を比較して、所定時間以内であるとき解除する構成とすることにより、設定時にスイッチを押し続けた時間を記憶していないと解除できず、他人が不用意にロック状態を解除する事を防止できる。
【００２７】
（実施の形態２）
図４は、本発明の第２の実施の形態の調理機器の動作フローを示すフローチャート図である。
【００２８】
以下その動作、作用について、図４を用いて説明する。
【００２９】
Ｓ２１ステップではロック状態であるか判断し、ロック状態でなければＳ２２ステップで、何れかのスイッチの押し続けをチェックする。例えば火力を調節するための火力下がるスイッチ７、火力上がるスイッチ８などにおいて、押し続けているスイッチが有ればＳ２３ステップで押し続けているスイッチがどのスイッチかをメモリＭ３に記憶し、Ｓ２４ステップでそのスイッチをチャイルドロックスイッチとして登録する。
【００３０】
更にＳ２５ステップで機器をロック状態に設定する。Ｓ３、Ｓ４ステップは実施例１と同一の処理であるので説明を省略する。
【００３１】
Ｓ２１ステップでロック状態であった場合はＳ２６ステップで,全てのスイッチの押し続けをチェックし、なければＳ３ステップ以降の処理を行う。スイッチの押し続けがあればＳ２７ステップでそのスイッチがＳ２３ステップでメモリＭ３に記憶したスイッチと同一か判定し、違えばＳ３ステップへ進み、同一であればＳ２８ステップでロック状態を解除する。
【００３２】
以上のように、本実施の形態においては、押し続けているスイッチをチャイルドロックスイッチとして設定することにより、任意のスイッチをチャイルドロックスイッチとすることが出来る。よって、設定されたスイッチがどのスイッチなのか、押しつづけた時間が何秒間なのか、その情報を知っている人のみが解除可能となり、一度ロック状態となると、知らない人は解除できない。このように、ロック状態の設定がより複雑になり、子供のいたずら防止がより確実にできる。
【００３３】
なお、この実施の形態においては、左コンロ用の火力調節のためのスイッチ７、またはスイッチ８をチャイルドロックスイッチに設定したが、操作部９に備えたほかのスイッチをチャイルドロックスイッチとして設定することもできる。
【００３４】
（実施の形態３）
図５は、本発明の第３の実施の形態の調理機器の動作フローを示すフローチャート図である。
【００３５】
以下その動作、作用について、図５を用いて説明する。Ｓ３１ステップでロック状態を判断し、ロック状態でなければＳ３２ステップでチャイルドロックスイッチ入力の有無をチェックして、なければＳ３ステップ以降の処理を行う。Ｓ３２ステップにおいてチャイルドロックスイッチ入力があればＳ３３ステップでロック状態に設定し、Ｓ３４ステップで現在の日時をマイコン２のメモリＭ４に記憶させる。この日時はマイコン２の内部で常時動作する時計でカウントしている。
【００３６】
Ｓ３１ステップでロック状態と判断した場合はＳ３５ステップで現在の日時とメモリＭ４に記憶している日時、即ち前回、ロック状態に設定した日時と比較して1週間が経過しているか判断する。経過していなければロック状態のまま処理を終了する。経過していればＳ３６ステップでロック状態を解除してＳ３ステップへ進む。
【００３７】
以上のように、本実施の形態においては前回、最終的にロック状態に設定してから1週間以上経過していれば解除し、また、解除した後は、再度ロックを設定することも可能である構成としたので、長時間、不使用で放置された機器でロック状態の解除方法を忘れた場合でも、自動的に解除して機器の使用を可能とするものである。
【００３８】
（実施の形態４）
図６は、本発明の第４の実施の形態の調理機器の動作フローを示すフローチャート図である。
【００３９】
以下その動作、作用について、図２及び図６を用いて説明する。図６においてＳ４１ステップで電源電圧が２Ｖ以上であるか判定する。これは図１の乾電池１ａが乾電池ケース１ｂから取り外された場合にコンデンサ１０にチャージされた電荷のみになり、マイコン２等、回路での消費により電圧が低下するもので、この電圧を検出して２Ｖ以下であれば乾電池１ａがないと判断するものである。２Ｖ以上であれば乾電池１ａがあると判断してＳ４２ステップ以後、通常の処理を行う。
【００４０】
Ｓ４１ステップで２Ｖ以下であればＳ４４ステップでマイコン２の動作モードを低消費モードに切り替える。これはマイコン２の内部クロックの周波数を下げて電力消費を低減し、これによりコンデンサ１０のみで長時間、マイコン２を動作させることが出来る。次にＳ４５ステップで１分経過をチェックして経過すればＳ４６ステップでロック状態を解除する。この状態はマイコン２内部の不揮発性メモリに記憶して電源供給がない状態でも保持する。以上のように、本実施の形態において、乾電池１ａを交換する場合、１分以内であればロック状態の設定は保持し、それ以上の長時間、乾電池１ａがない状態が続くとロック状態を解除する。
【００４１】
これにより、意図的に長時間、乾電池１ａを抜いた状態を作ることによりロック状態を解除できるので、解除方法を忘れた場合においても解除が可能になり、機器が使用できる。Ｓ４１ステップでは乾電池１ａの有無の判定電圧として２Ｖと設定したが、この電圧はマイコン２の動作下限電圧以上に設定する。
【００４２】
なお、ここでは、乾電池を電源として用いた構成について説明したが、コンセントによる商用電源を使用する構成の場合は、コンセントを抜くことによる電源供給の遮断をすることも可能である。
【００４３】
（実施の形態５）
図７は、本発明の第５の実施の形態の調理機器の動作フローを示すフローチャート図である。
【００４４】
以下その動作、作用について、図７を用いて説明する。
【００４５】
Ｓ５３ステップでロック状態を判断し、ロック状態でなければＳ３ステップに進む。ロック状態であればＳ５４ステップでチャイルドロックスイッチの入力有無を判断し、なければ全ての処理をパスする。スイッチ入力があればＳ５５ステップでロック状態を解除し、メモリＭ７をクリアする。
【００４６】
Ｓ３ステップ、Ｓ４ステップは説明を省略する。Ｓ５６ステップでは点火消火スイッチ６の入力をチェックし、入力があればＳ５７ステップで電磁弁３、点火器４をオフして消火の処理をする。その後、Ｓ５８ステップでメモリＭ７の内容が５以上か判断し、５以下であればＳ５９ステップでチャイルドロックスイッチの入力をチェックし、入力があればＳ６０ステップでロック状態に設定し、メモリＭ７をインクリメントする。
【００４７】
Ｓ５８ステップでメモリＭ７の内容が５以上であればＳ６１ステップでロック状態に設定する。
【００４８】
以上のように、本実施の形態において、消火処理後にチャイルドロックスイッチを入力する操作が５回以上になれば、その後は、チャイルドロックスイッチを入力しなくても自動的に消火後にロック状態にするため、常に消火後にチャイルドロックに設定する場合はチャイルドロックスイッチを押す手間が省ける。また、必ずロック状態となるので、安全である。
【００４９】
なお、以上の実施の形態の説明においては、チャイルドロック状態は点火消火スイッチによる燃焼開始の禁止としたが、他に、燃焼を開始したあと、消火してしまうことの禁止として、設定することも可能で、そのように設定することもできる。
【産業上の利用可能性】
【００５０】
以上のように、本発明にかかる調理機器は、ロック状態への設定、解除するためのスイッチの入力受付時間が制約され、またその時間も変更できることから容易にロック状態が解除出来ず、誤操作の防止が可能となるので、暖房機器等の用途にも適用できる。
【図面の簡単な説明】
【００５１】
【図１】本発明の調理機器の回路ブロック図
【図２】本発明の実施の形態１における調理機器の外観図
【図３】本発明の実施の形態１における調理機器のフローチャート
【図４】本発明の実施の形態２における調理機器のフローチャート
【図５】本発明の実施の形態３における調理機器のフローチャート
【図６】本発明の実施の形態４における調理機器のフローチャート
【図７】本発明の実施の形態５における調理機器のフローチャート
【図８】従来の調理機器の回路ブロック図
【符号の説明】
【００５２】
１  燃焼制御回路
１ａ  乾電池
５  チャイルドロックスイッチ
６  点火消火スイッチ
９  操作部
【図１】
2005121287.tif 000003
【図２】
2005121287.tif 000004
【図３】
2005121287.tif 000005
【図４】
2005121287.tif 000006
【図５】
2005121287.tif 000007
【図６】
2005121287.tif 000008
【図７】
2005121287.tif 000009
【図８】
2005121287.tif 000010